(57)【特許請求の範囲】
【請求項１】
地理的カバレッジ・エリア（１００）においてユーザ（ＵＳＥＲ１、ＵＳＥＲ２）に通信機能を含む無線リソースを提供する送受信局（２０）であって、前記地理的カバレッジ・エリアは複数のセル（ＣＥＬＬ１〜ＣＥＬＬ１２）を含み、前記複数のセルのそれぞれは少なくとも１つのキャリア（Ｃ１〜Ｃ４）および前記地理的カバレッジ・エリアの少なくとも１つのセクタ（Ｓ１〜Ｓ３）の異なる組み合わせと関連づけられ、
前記送受信局は、
前記複数のセルの中の第１のサブセットのセルにおいて前記ユーザに第１の組の通信機能を提供することと関連づけられた機能を実行するように構成された第１のＬ１処理回路（２０２０−１〜２０２０−３）を含む第１のボード（２０２−１〜２０２−３）、および、
前記第１のボードと通信的に結合され、前記複数のセルの中の第２のサブセットのセルにおいて前記ユーザに第２の組の通信機能を提供することと関連づけられた機能を実行するように構成された第２のＬ１処理回路（２０２０−１〜２０２０−３）を含む第２のボード（２０２−１〜２０２−３）を含み、前記第１の組の通信機能は前記第２の組の通信機能とは異なり、
前記複数のセルの中の前記第１のサブセットのセルにおいて前記ユーザに前記第１の組の通信機能を提供することと関連づけられた前記機能は、
受信したアップリンク制御チャネルを処理して、前記第１のサブセットのセルにおける第１のユーザによるアップリンク送信に関するアップリンク制御チャネル情報を得るステップと、
前記得られたアップリンク制御チャネル情報に基づいて、前記第１のサブセットのセルにおける前記第１のユーザによって送信された第１のデータビット・シーケンスを復元するように、受信された第１のアップリンク・データ・チャネルを処理するステップと、
前記得られたアップリンク制御チャネル情報と前記復元された第１のデータビット・シーケンスとを、さらなる処理のために中央局に出力するステップとを含む、
送受信局（２０）。
【請求項２】
前記第１の組の通信機能は、前記送受信局によって提供された通信機能のすべてよりも少ない数を含み、
前記第２の組の通信機能は、前記送受信局によって提供された通信機能のすべてよりも少ない数を含む、
請求項１に記載の送受信局。
【請求項３】
前記第１の組の通信機能のうちの各通信機能は、前記第２の組の通信機能のうちの各通信機能と異なる、請求項１に記載の送受信局。
【請求項４】
前記第１のＬ１処理回路は、さらに、前記第１のサブセットのセルにおける少なくとも第１のキャリアで受信される無線周波数信号ストリームに基づく制御情報を得て、前記得られた制御情報を前記第２のＬ１処理回路に出力するように構成され、
前記第２のＬ１処理回路は、さらに、前記第１のＬ１処理回路からの制御情報に基づいて、前記第２のサブセットのセルにおけるユーザに前記第２の組の通信機能を提供することと関連づけられた機能を実行するように構成される、
請求項１に記載の送受信局。
【請求項５】
前記第１のボードは、前記ユーザに関する第１の組の通信機能のうちの少なくとも１つの通信機能に関する容量過負荷を識別し、
前記第１のボードが前記第１のボードの前記少なくとも１つの通信機能に関する前記容量過負荷を識別した場合、少なくとも１のユーザに前記少なくとも１つの通信機能を提供することに関連づけられた機能を、前記第１のボードから前記第２のボードに転送するように構成される、
請求項１に記載の送受信局。
【請求項６】
前記第２のボードは、前記少なくとも１のユーザに前記少なくとも１つの通信機能を提供するように、前記転送された機能を実行するように構成される、
請求項５に記載の送受信局。
【請求項７】
地理的カバレッジ・エリア（１００）においてユーザに通信機能を含む無線リソースを提供する方法であって、前記地理的カバレッジ・エリアは複数のセル（ＣＥＬＬ１〜ＣＥＬＬ１２）を含み、前記複数のセルのそれぞれは少なくとも１つのキャリア（Ｃ１〜Ｃ４）および前記地理的カバレッジ・エリアの少なくとも１つのセクタ（Ｓ１〜Ｓ３）の異なる組み合わせと関連づけられ、
前記方法は、
前記複数のセルの中の第１のサブセットのセルにおいて前記ユーザに第１の組の通信機能を提供することと関連づけられた機能を実行する第１のステップ（Ｓ５０２〜Ｓ５１０、Ｓ７０２〜Ｓ７０６）、および、
前記複数のセルの中の第２のサブセットのセルにおいて前記ユーザに第２の組の通信機能を提供することと関連づけられた機能を実行する第２のステップを含み、前記第１の組の通信機能は前記第２の組の通信機能とは異なる（Ｓ６０２〜Ｓ６０４、Ｓ７０２〜Ｓ７０６）とともに、
前記第１のステップは、
受信したアップリンク制御チャネルを処理して、前記第１のサブセットのセルにおける第１のユーザによるアップリンク送信に関するアップリンク制御チャネル情報を得るステップと、
前記得られたアップリンク制御チャネル情報に基づいて、前記第１のサブセットのセルにおける前記第１のユーザによって送信された第１のデータビット・シーケンスを復元するように、受信された第１のアップリンク・データ・チャネルを処理するステップと、
前記得られたアップリンク制御チャネル情報と前記復元された第１のデータビット・シーケンスとを、さらなる処理のために中央局に出力するステップとを含む、
無線リソースを提供する方法。
【請求項８】
前記実行する第１のステップは、
第１のＬ１処理回路（２０２０−１〜２０２０−３）において、前記第１のサブセットのセルにおける少なくとも第１のキャリアで受信される無線周波数信号ストリームに基づいて制御情報を得るステップ（Ｓ５０４）、および、
前記得られた制御情報を前記第１のＬ１処理回路から第２のＬ１処理回路に出力するステップ（Ｓ５０６）を含み、
前記実行する第２のステップは、前記第２のＬ１処理回路において、前記第１のＬ１処理回路からの制御情報に基づいて、前記第２のサブセットのセルにおけるユーザに前記第２の組の通信機能を提供することと関連づけられた機能を実行する、
請求項７に記載の方法。
【請求項９】
前記実行する第１のステップは、
前記第１のサブセットのセルにおける第１のユーザによるアップリンク送信に関するアップリンク制御チャネル情報を得るように、受信されたアップリンク制御チャネルを処理するステップ（Ｓ５０４）、
前記得られたアップリンク制御チャネル情報に基づいて、前記第１のサブセットのセルにおける前記第１のユーザによって送信された第１のデータビット・シーケンスを復元するように、受信された第１のアップリンク・データ・チャネルを処理するステップ（Ｓ５０８）、および、
前記得られたアップリンク制御チャネル情報と復元された第１のデータビット・シーケンスとを、さらなる処理のために中央局に出力するステップ（Ｓ５１０）を含む、
請求項７に記載の方法。
【請求項１０】
前記実行する第１のステップは、
前記第１のサブセットのセルにおける少なくとも第１のキャリアでの第１のユーザへの送信のために無線周波数信号ストリームを生成するように、受信されたダウンリンク・データの組を符号化するステップ（Ｓ７０４）、および、
前記第１のユーザへの送信のために前記生成された無線周波数信号ストリームを出力するステップ（Ｓ７０６）を含む、
請求項７に記載の方法。
【発明の詳細な説明】
【背景技術】
【０００１】
第３世代、第４世代および第５世代標準などの無線技術標準は、現実のハードウェアの発展および展開よりもはるかに速く、新しい技術を取り入れ、新しい機能を追加し、データ速度を増大させる。その結果として、ＮｏｄｅＢ（または基地局）プラットフォーム（例えばモデムボードなどのハードウェアボード）の能力は急速に満たされる。このことはプラットフォームのライフサイクルを減少させ、そして新しいプラットフォームのより頻繁な発展を要求する。しかしながら、新しいプラットフォームの発展はコストが増加するだけでなく、製品が納入される時間を遅延させることもある。
【０００２】
第５世代無線システムは無線通信産業における次の進化である。そのようなシステムはＷｉＦｉのみならず、第２、第３、第４、第５世代の構成要素を統合し、グローバルなネットワークシステムを形成しうる。第５世代システムは、今日のデータ速度よりも１０〜１００倍を超えて速いデータ速度を有し、物のインターネットのサービスを行う幅広い範囲の装置に接続しうる。第５世代システムはまた、従来の第２、第３、第４世代技術に対して新しい技術を実装し、新しい特徴を追加する。
【０００３】
従来、ＮｏｄｅＢにおけるＬ１／Ｌ２処理ボード（時々はモデムボードとも呼ばれる）は、単一ボード・アーキテクチャ（ＳＢＡ：Ｓｉｎｇｌｅ  Ｂｏａｒｄ  Ａｒｃｈｉｔｅｃｔｕｒｅ）を利用する。この従来のアーキテクチャにおいて、各ボードはすべての無線周波数（ＲＦ）アンテナに接続され、ＮｏｄｅＢのカバレッジ・エリア内のすべてのセルに関してＬ２スケジューリングおよびＬ１処理の両者を実行する。結果として、すべての標準機能が各ボードに実装される。この「すべてのために１つのボード」という解決方法は、ボードのライフサイクルを短くし、追加機能（例えば新しい第５世代機能）が既存のボードに追加される可能性を制限する。
【発明の概要】
【発明が解決しようとする課題】
【０００４】
少なくともいくつかの実施形態例が、基地局におけるＬ１処理ボードのためのマルチボード・アーキテクチャ（ＭＢＡ）を提供する。
【０００５】
少なくともいくつかの実施形態例が、ＮｏｄｅＢにおけるＬ１処理ボードの間の通信機能の負荷釣り合わせの方法を提供する。
【０００６】
少なくともいくつかの実施形態例によれば、ＮｏｄｅＢにおける複数のＬ１処理ボードが共に１のシステムとしてみられ、それによって、ＮｏｄｅＢにおける複数のＬ１処理ボードの間の、無線周波数（ＲＦ）アンテナ・ストリーム、通信機能、および／または通信機能の組の動的な分配を可能にする。本明細書で述べられるように、ＮｏｄｅＢは送受信局とみなされてもよい。
【０００７】
少なくともいくつかの実施形態例によれば、ＮｏｄｅＢにおける複数のＬ１処理ボードが共に１のシステムとしてみられ、それによって、ＮｏｄｅＢにおける処理ボードの間の通信機能の動的な負荷釣り合わせを可能にする。
【０００８】
少なくともいくつかの実施形態例によれば、異なるＬ１ボードが異なるＲＦアンテナの組に接続され、異なる通信機能が複数のＬ１ボードの間で分配され、そして各Ｌ１処理ボードが無線システム内の異なる通信機能に関連づけられた機能を提供する。異なるボードは、異なる通信機能または通信機能の組を処理するための異なるソフトウェアおよび／またはハードウェア構成要素を有してもよい。
【０００９】
無線システムは通信機能の組を１つまたは複数含む。各通信機能は特定の状況における特定の目的のために設計される。通信機能の例は、ユーザが単一の周波数帯（またはキャリア）のみを用いる単一キャリア・アップリンク／ダウンリンク機能、より高い通信データ速度に達するようにユーザが複数の周波数帯（またはキャリア）を組み合わせるマルチキャリア・アップリンク／ダウンリンク機能、干渉除去、ある地理的セクタから別の地理的セクタに移動するユーザのためのコール・ハンドオーバ、ボイス・オーバー（ｖｏｉｃｅ  ｏｖｅｒ）・第３世代パートナーシップ・プロジェクト・ロング・ターム・エボリューション（３ＧＰＰ−ＬＴＥ）、データが送信される必要がない場合にいくつかの送信を止めるユーザ・パワー節約モード、多重入出力（ＭＩＭＯ）、単一入出力（ＳＩＳＯ）などである。
【００１０】
１つまたは複数の実施形態例によるマルチボード・アーキテクチャは、従来の単一ボード・アーキテクチャにおいて存在する重複した機能を減少させることにより、ＮｏｄｅＢにおける不要なリソースの消費を減少させることができる。一例では、Ｌ１処理ボードは従来の単一ボード・アーキテクチャと比較して、アンテナ・ストリームの一部分または一部のみを処理するにすぎない。
【課題を解決するための手段】
【００１１】
少なくとも１つの実施形態例は、地理的カバレッジ・エリアにおいてユーザに通信機能を含む無線リソースを提供する送受信局を提供し、地理的カバレッジ・エリアは複数のセルを含み、複数のセルのそれぞれは少なくとも１つのキャリアおよび地理的カバレッジ・エリアの少なくとも１つのセクタの異なる組み合わせと関連づけられ、送受信局は、複数のセルの中の第１のサブセットのセルにおいてユーザに第１の組の通信機能を提供することと関連づけられた機能を実行するように構成された第１のＬ１処理回路を含む第１のボード、および、第１のボードと通信的に結合され、複数のセルの中の第２のサブセットのセルにおいてユーザに第２の組の通信機能を提供することと関連づけられた機能を実行するように構成された第２のＬ１処理回路を含む第２のボードを含み、第１の組の通信機能は第２の組の通信機能とは異なる。
【００１２】
さらに、第１のＬ１処理回路は、第１の組の通信機能のみを提供することと関連づけられた機能を実行するように構成されてもよい。さらに、第２のＬ１処理回路は、第２の組の通信機能のみを提供することと関連づけられた機能を実行するように構成されてもよい。
【００１３】
第１の、および／または第２の組の通信機能は、送受信局によって提供された通信機能のすべてよりも少ない数を含んでもよい。
【００１４】
第１の組の通信機能のうちの各通信機能は、第２の組の通信機能のうちの各通信機能と異なってもよい。
【００１５】
第１の、および第２の組の通信機能のうちの通信機能の一部のみが同一であってもよい。
【００１６】
さらに、第１のＬ１処理回路は、第１のサブセットのセルにおける少なくとも第１のキャリアで受信される無線周波数信号ストリームに基づく制御情報を得て、得られた制御情報を第２のＬ１処理回路に出力するように構成されてもよい。さらに、第２のＬ１処理回路は、第１のＬ１処理回路からの制御情報に基づいて、第２のサブセットのセルにおけるユーザに第２の組の通信機能を提供することと関連づけられた機能を実行するように構成されてもよい。
【００１７】
さらに、第１のＬ１処理回路は、Ｌ１インターフェース・メッセージによって、得られた制御情報を第２のＬ１処理回路に出力するように構成されてもよい。
【００１８】
複数のセルの中の第１のサブセットのセルにおいてユーザに第１の組の通信機能を提供することと関連づけられた機能は、第１のサブセットのセルにおける第１のユーザによるアップリンク送信に関するアップリンク制御チャネル情報を得るように、受信されたアップリンク制御チャネルを処理するステップ、得られたアップリンク制御チャネル情報に基づいて、第１のサブセットのセルにおける第１のユーザによって送信された第１のデータビット・シーケンスを復元するように、受信された第１のアップリンク・データ・チャネルを処理するステップ、および、得られたアップリンク制御チャネル情報と復元された第１のデータビット・シーケンスとを、さらなる処理のために中央局に出力するステップを含んでもよい。
【００１９】
さらに、第１のＬ１処理回路は、得られたアップリンク制御チャネル情報を第２のＬ１処理回路に出力するように構成されてもよい。複数のセルの中の第２のサブセットのセルにおいてユーザに第２の組の通信機能を提供することと関連づけられた機能は、第１のＬ１処理回路からのアップリンク制御チャネル情報に基づいて、第２のサブセットのセルにおいて第１のユーザによって送信された第２のデータビット・シーケンスを復元するように、受信された第２のアップリンク・データ・チャネルを処理するステップ、および、復元された第２のデータビット・シーケンスを、さらなる処理のために中央局に出力するステップを含んでもよい。
【００２０】
複数のセルの中の第１のサブセットのセルにおいてユーザに第１の組の通信機能を提供することと関連づけられた機能は、第１のサブセットのセルにおける少なくとも第１のキャリアの第１のユーザへの送信のために無線周波数信号ストリームを生成するように、受信されたダウンリンク・データの組を符号化するステップ、および、第１のユーザへの送信のために生成された無線周波数信号ストリームを出力するステップを含んでもよい。
【００２１】
第１のボードは、ユーザに関する第１の組の通信機能のうちの少なくとも１つの通信機能に関する容量過負荷を識別し、第１のボードが第１のボードの少なくとも１つの通信機能に関する容量過負荷を識別した場合、少なくとも１のユーザに少なくとも１つの通信機能を提供することに関連づけられた機能を、第１のボードから第２のボードに転送するように構成されてもよい。
【００２２】
第２のボードは、少なくとも１のユーザに少なくとも１つの通信機能を提供するように、転送された機能を実行するように構成されてもよい。
【００２３】
少なくとも１つの他の実施形態例は、地理的カバレッジ・エリアにおいてユーザに通信機能を含む無線リソースを提供する方法を提供し、地理的カバレッジ・エリアは複数のセルを含み、複数のセルのそれぞれは少なくとも１つのキャリアおよび地理的カバレッジ・エリアの少なくとも１つのセクタの異なる組み合わせと関連づけられ、方法は、複数のセルの中の第１のサブセットのセルにおいてユーザに第１の組の通信機能を提供することと関連づけられた機能を実行する第１のステップ、および、複数のセルの中の第２のサブセットのセルにおいてユーザに第２の組の通信機能を提供することと関連づけられた機能を実行する第２のステップを含み、第１の組の通信機能は第２の組の通信機能とは異なる。
【００２４】
実行する第１のステップは、第１の組の通信機能のみをユーザに提供することと関連づけられた機能を実行してもよい。実行する第２のステップは、第２の組の通信機能のみをユーザに提供することと関連づけられた機能を実行してもよい。
【００２５】
第１の、および／または第２の組の通信機能は、ユーザに関する通信機能のすべてよりも少ない数を含んでもよい。
【００２６】
第１の、および第２の組の通信機能のうちの通信機能の一部のみが同一であってもよい。
【００２７】
実行する第１のステップは、第１のＬ１処理回路において、第１のサブセットのセルにおける少なくとも第１のキャリアで受信される無線周波数信号ストリームに基づいて制御情報を得るステップ、および、得られた制御情報を第１のＬ１処理回路から第２のＬ１処理回路に出力するステップを含んでもよい。実行する第２のステップは、第２のＬ１処理回路において、第１のＬ１処理回路からの制御情報に基づいて、第２のサブセットのセルにおけるユーザに第２の組の通信機能を提供することと関連づけられた機能を実行してもよい。
【００２８】
実行する第１のステップは、第１のサブセットのセルにおける第１のユーザによるアップリンク送信に関するアップリンク制御チャネル情報を得るように、受信されたアップリンク制御チャネルを処理するステップ、得られたアップリンク制御チャネル情報に基づいて、第１のサブセットのセルにおける第１のユーザによって送信された第１のデータビット・シーケンスを復元するように、受信された第１のアップリンク・データ・チャネルを処理するステップ、および、得られたアップリンク制御チャネル情報と復元された第１のデータビット・シーケンスとを、さらなる処理のために中央局に出力するステップを含んでもよい。
【００２９】
方法はさらに、得られたアップリンク制御チャネル情報を第１のＬ１処理回路から第２のＬ１処理回路に出力するステップを含んでもよい。実行する第２のステップは、第１のＬ１処理回路からのアップリンク制御チャネル情報に基づいて、第２のサブセットのセルにおいて第１のユーザによって送信された第２のデータビット・シーケンスを復元するように、受信された第２のアップリンク・データ・チャネルを処理するステップ、および、復元された第２のデータビット・シーケンスを、さらなる処理のために中央局に出力するステップを含んでもよい。
【００３０】
実行する第１のステップは、第１のサブセットのセルにおける少なくとも第１のキャリアでの第１のユーザへの送信のために無線周波数信号ストリームを生成するように、受信されたダウンリンク・データの組を符号化するステップ、および、第１のユーザへの送信のために生成された無線周波数信号ストリームを出力するステップを含んでもよい。
【００３１】
本発明は、本明細書の以下に記載の詳細な説明および添付の図面からより十分に理解されるであろう。そこでは、類似の要素は類似の参照符号によって表され、説明のためにのみ与えられ、したがって本発明を制限するものではない。
【図面の簡単な説明】
【００３２】
【図１】一実施形態例による、マルチボード・アーキテクチャ（ＭＢＡ）を有するＮｏｄｅＢを含む無線通信ネットワークの一部の図である。
【図２】ＮｏｄｅＢにおけるＬ１処理ボードの相互接続構成の例を示す図である。
【図３】ＮｏｄｅＢにおけるＬ１処理ボードの相互接続構成の例を示す図である。
【図４】図１に示されたＮｏｄｅＢにおける通信機能の負荷釣り合わせの方法の一実施形態例を示すブロック図である。
【図５】一実施形態例による、ＭＢＡのアンカーＬ１処理ボードにおけるアップリンク通信を処理する方法を示す流れ図である。
【図６】一実施形態例による、ＭＢＡの第２のＬ１処理ボードにおけるアップリンク通信を処理する方法を示す流れ図である。
【図７】一実施形態例による、ＭＢＡのＬ１処理ボードにおけるダウンリンク通信を処理する方法を示す流れ図である。
【図８】Ｌ１処理ボードにおける干渉除去ユニットの一実施形態例を示すブロック図である。
【図９】図１に示されたＮｏｄｅＢにおける通信機能の負荷釣り合わせの方法の別の実施形態例を示すブロック図である。
【発明を実施するための形態】
【００３３】
これらの図はある実施形態例において用いられる方法、構造および／または材料の一般的な特徴を説明し、以下に提供される記載された説明を補足することを意図したものであることに留意すべきである。これらの図面は、しかしながら、原寸に比例しておらず、いかなる所与の実施形態の正確な構造または実行の特性を正確に反映したものでもなく、実施形態例によって包含される価値または財産の範囲を定義または限定するものと解釈されるべきでもない。様々な図面における同様の、または同一の参照符号の使用は、同様の、または同一の要素または特徴の存在を示すことを意図したものである。
【００３４】
いくつかの実施形態例が示される添付の図面を参照して、以下様々な実施形態例がより十分に示される。
【００３５】
詳細な説明のための実施形態が本明細書に開示される。しかしながら、本明細書に開示された特定の構造および機能の詳細は、実施形態例を説明する目的の代表であるにすぎない。本発明は、しかしながら、多くの代替の形態において実施されてもよく、本明細書に記載の実施形態のみに限定されるものと解釈されるべきではない。
【００３６】
したがって、実施形態例は様々な変形および代替形態が可能であるが、実施形態は図面における例によって示され、本明細書に詳細に説明される。しかしながら、開示された特定の形態に実施形態例を制限する意図は全くないことを理解されたい。それに反して、実施形態例はこの開示の範囲内に入るすべての変形例、同等例、代替例に及ぶものである。図面の説明を通じて、同様の番号は同様の要素を参照する。
【００３７】
第１の、第２の、などの用語が、様々な要素を説明するように本明細書で用いられてよいが、これらの要素はこれらの用語によって限定されるべきではない。これらの用語は、ある要素を別のものと区別するように用いられているにすぎない。本開示の範囲から外れることなく、例えば、第１の要素が第２の要素と呼ばれることも可能であり、同様に第２の要素が第１の要素と呼ばれることも可能である。本明細書で用いられるように、用語「および／または」は、関連するリストの１つまたは複数の項目からいくつか、およびすべてを組み合わせたものを含む。
【００３８】
要素が別の要素と「接続された」または「結合された」と称される場合、その要素はその別の要素と直接接続または結合されることもあり、間に介在する要素が入ることもある。対照的に、要素が別の要素と「直接接続された」または「直接結合された」と称される場合、間に介在する要素はない。要素の間の関係を説明するように用いられる他の言葉も同様に解釈されるべきである（例えば「間に」と「直接間に」、「近傍に」と「直接近傍に」など）。
【００３９】
本明細書で用いられる専門用語は特定の実施形態を説明する目的のみのものであり、限定を意図するものではない。本明細書で用いられるように、単数形「ａ」「ａｎ」および「ｔｈｅ」は、そうではないことを明示する文脈でない限り、複数形も同様に含むことを意図したものである。さらに、本明細書で用いられるときの用語「備える」「備えている」「含む」および／または「含んでいる」は、述べられた機能、整数、ステップ、動作、要素、および／または構成要素の存在を明確に述べるものであり、１つまたは複数の他の機能、整数、ステップ、動作、要素、構成要素、および／またはそれらの組の存在または追加を除外するものではないことを理解されたい。
【００４０】
いくつかの代替の実装例において、記載された機能／作用は、図面に記載された順番を外れて起こってもよいこともまた理解されたい。例えば、連続して示された２つの図面は、含まれる機能／作用に従って、実際に実質的に順番に実行されてもよく、時には逆順に実行されてもよい。
【００４１】
実施形態例の完全な理解を提供するように、以下の説明において特定の細部が提供される。しかしながら、実施形態例はこれらの特定の細部なしでも実行できることが当業者には理解されるであろう。例えば、不要な細部によって実施形態例を不明瞭にすることがないように、システムがブロック図に示されてもよい。別の例として、よく知られた処理、構造および技法は、実施形態例を不明瞭にすることを避けるように、不要な細部なしで示されてもよい。
【００４２】
以下の説明において、例示の実施例は、特定のタスクを実行するか特定の抽象的なデータ型を実装し、例えば既存の基地局、ＮｏｄｅＢ、ｅＮｏｄｅＢなどの既存のハードウェアを用いて実装可能な、ルーチン、プログラム、オブジェクト、構成要素、データ構造体などを含むプログラム・モジュールまたは機能的処理として実装されてもよい、作用および動作の記号的表現（例えば、流れ図、流れダイヤグラム、データ流れダイヤグラム、構造図、ブロック図などの形式において）を参照して説明される。そのような既存のハードウェアは、１つまたは複数の中央処理装置（ＣＰＵ）、システム・オン・チップ（ＳＯＣ）デバイス、デジタル信号プロセッサ（ＤＳＰ）、特定用途向け集積回路、フィールド・プログラマブル・ゲート・アレイ（ＦＰＧＡ）コンピュータなどを含んでもよい。
【００４３】
流れ図は一連の処理として動作を説明することができるが、動作の多くは、並行して、一斉に、または同時に実行されてもよい。加えて、動作の順番は再配置されてもよい。動作が完了したとき処理は終了してもよいが、処理は図面に含まれない追加のステップを有してもよい。処理は方法、関数、プロシージャ、サブルーチン、サブプログラムなどに対応してよい。プロセスが関数に対応する場合、その終了は呼び出し関数またはメイン関数への関数のリターンに対応してもよい。
【００４４】
本明細書に開示のように、用語「記憶媒体」「コンピュータ読み取り可能記憶媒体」または「非一時的コンピュータ読み取り可能記憶媒体」は、読み出し専用メモリ（ＲＯＭ）、ランダム・アクセス・メモリ（ＲＡＭ）、磁気ＲＡＭ、コア・メモリ、磁気ディスク記憶媒体、光学記憶媒体、フラッシュメモリ装置、および／または他の、情報を記憶するための具体的な機械読み取り可能媒体を含む、データを記憶する１つまたは複数の装置を表してもよい。用語「コンピュータ読み取り可能媒体」は、持ち運び可能な、または固定された記憶装置、光学記憶装置、および、命令および／またはデータを記憶、含有または保持することが可能な様々な他の媒体を含んでもよいが、これらには限られない。
【００４５】
さらに、実施形態例はハードウェア、ソフトウェア、ファームウェア、ミドルウェア、マイクロコード、ハードウェア記述言語、またはそれらの任意の組み合わせによって実装されてもよい。ソフトウェア、ファームウェア、ミドルウェアまたはマイクロコードにおいて実装される場合、必要なタスクを実行するプログラム・コードまたはコード・セグメントは、機械またはコンピュータ読み取り可能記憶媒体などのコンピュータ読み取り可能媒体に記憶されてもよい。ソフトウェアにおいて実装される場合、プロセッサまたは複数のプロセッサは必要なタスクを実行する。
【００４６】
コード・セグメントはプロシージャ、関数、サブプログラム、プログラム、ルーチン、サブルーチン、モジュール、ソフトウェア・パッケージ、クラス、または、命令、データ構造体もしくはプログラム・ステートメントの任意の組み合わせを表してもよい。コード・セグメントは、情報、データ、引数、パラメータまたはメモリ・コンテンツを通すこと、および／または受信することによって、別のコード・セグメントまたはハードウェア回路に結合されてもよい。情報、引数、パラメータ、データなどは、メモリ共有、メッセージ送信、トークン送信、ネットワーク発信などを含む任意の適切な手段によって送信、転送、または発信されてもよい。
【００４７】
本明細書で用いられるように、用語「ＮｏｄｅＢ」は、Ｎｏｄｅ  Ｂ、基地局、送受信局、基地送受信局（ＢＴＳ）などの同義語と考慮されてもよく、以下で時々それらとみなされてもよく、地理的カバレッジ・エリアにおいてユーザと通信し、無線リソースを提供する送受信機を説明する。本明細書で述べられるように、ＮｏｄｅＢは、本明細書で述べられた方法を実行する能力および機能に加えて、従来の、よく知られた基地局とすべて機能的に関連づいていてもよい。
【００４８】
簡略化のために、用語ＮｏｄｅＢは、第３世代広帯域符号分割多元接続（ＷＣＤＭＡ）のためのＮｏｄｅＢ、第４世代ロング・ターム・エボリューション（ＬＴＥ）のためのｅＮｏｄｅＢ、例えば符号分割多元接続（ＣＤＭＡ）、ワールドワイド・インターオペラビリティ・フォー・マイクロウェーブ・アクセス（ＷｉＭａｘ）、第５世代システムなどの他の無線システムのための一般的な基地局、および、これらの無線プロトコルの組み合わせのためのＮｏｄｅＢまたは基地局を表すように用いてもよい。
【００４９】
本明細書で用いられるように、用語「ユーザ」は、ユーザ機器（「ＵＥ」）、クライアント、モバイル・ユニット、モバイル局、モバイル・ユーザ、モバイル、加入者、ユーザ、リモート局、アクセス端末、受信機などの同義語と考慮されてもよく、以下で時々それらとみなされてもよく、無線通信ネットワークにおける無線リソースのリモートなユーザを説明する。
【００５０】
本明細書で述べられるように、アップリンク（またはリバース・リンク）送信はユーザからＮｏｄｅＢ（またはネットワーク）への送信のことをいい、ダウンリンク（またはフォワード・リンク）送信はＮｏｄｅＢ（またはネットワーク）からユーザへの送信のことをいう。
【００５１】
本明細書で述べられるように、キャリアはユーザのための周波数帯域幅のことをいう。広帯域符号分割多元接続（ＷＣＤＭＡ）ネットワークにおいて、キャリアは５ＭＨｚ周波数帯域幅である。第３世代パートナーシップ・プロジェクト・ロング・ターム・エボリューション（３ＧＰＰ  ＬＴＥ）ネットワークにおいて、キャリアは１．４ＭＨｚ、３ＭＨｚ、５ＭＨｚ、１０ＭＨｚ、１５ＭＨｚ、または２０ＭＨｚであってもよい。
【００５２】
本明細書で述べられるように、Ｌ１はレイヤー１、Ｌ２はレイヤー２、Ｌ３はレイヤー３、「ボード」（または「処理ボード」）はＬ１ベースバンド処理ボードのことをいう。
【００５３】
３つのセクタに分割され、セクタごとに４つのキャリアに分割され、全部で１２のセルとなった地理的カバレッジ・エリアに関するいくつかの実施形態例が本明細書で述べられる。単一のキャリアで３つのセクタに分割され、全部で３つのセルとなった地理的カバレッジ・エリアに関する他の実施形態例が本明細書で述べられる。しかしながら、任意の数のキャリア、キャリアごとに任意の数のセクタ、任意の数のセル、およびキャリアごとに任意の数のアンテナもまた、実施形態例にあてはまることを理解すべきである。
【００５４】
第５世代システムに関する実施形態例が本明細書で述べられるが、実施形態例は、例えばＣＤＭＡ、ＷｉＭＡＸ、ＬＴＥなどの他の無線技術およびシステムに適用されてもよい。
【００５５】
実施形態例はＮｏｄｅＢにマルチボード・アーキテクチャを提供し、１もしくは複数のユーザに関する、通信機能、通信機能の組、および／または１つもしくは複数の通信機能に関連づけられたタスクは、ＮｏｄｅＢにおいて異なるＬ１処理ボードの間で分配されてもよい。少なくともいくつかの実施形態例において、各Ｌ１処理ボードは異なる通信機能、異なる通信機能の組、および／または通信機能に関連づけられた異なるタスクを処理してもよい。本明細書で述べられるように、通信機能はユーザ機能またはユーザ通信機能とみなされてもよい。
【００５６】
上記で述べたように、通信機能の例は、ユーザが単一の周波数帯（またはキャリア）のみを用いる単一キャリア・アップリンク／ダウンリンク機能、より高い通信データ速度に達するようにユーザが複数の周波数帯（またはキャリア）を組み合わせるマルチキャリア・アップリンク／ダウンリンク機能、干渉除去、ある地理的セクタから別の地理的セクタに移動するユーザのためのコール・ハンドオーバ、ボイス・オーバー（ｖｏｉｃｅ  ｏｖｅｒ）・第３世代パートナーシップ・プロジェクト・ロング・ターム・エボリューション（３ＧＰＰ−ＬＴＥ）、データが送信される必要がない場合にいくつかの送信を止めるユーザ・パワー節約モード、多重入出力（ＭＩＭＯ）、単一入出力（ＳＩＳＯ）などである。例示の組の通信機能は、本明細書で述べられた１つまたは複数の通信機能を含んでよい。
【００５７】
各通信機能は複数の異なる機能またはタスクを含んでもよく、異なる通信機能または通信機能の組は、１つまたは複数のＮｏｄｅＢ（例えば、同一のまたは異なるＮｏｄｅＢ）において、異なるＬ１処理ボードの間で分配され、異なるＬ１処理ボードの間で実行されてもよい。例えば、マルチキャリア・アップリンク／ダウンリンク通信機能を提供することと関連づけられた機能が第１のＬ１処理ボードで実行されてもよく、単一キャリア・アップリンク／ダウンリンク通信機能を提供することと関連づけられた機能が第２のＬ１処理ボードなどで実行されてもよい。
【００５８】
別の例において、単一キャリア・アップリンク／ダウンリンク通信機能は、ＮｏｄｅＢの地理的カバレッジ・エリアにおける複数のセクタのそれぞれに関してタスクに分割されてもよい。この点で、異なるセクタに関する単一キャリア・アップリンク／ダウンリンク通信機能は、セクタごとに、すなわちセクタ・バイ・セクタ（ｓｅｃｔｏｒ−ｂｙ−ｓｅｃｔｏｒ）で、複数のＬ１処理ボードの間で分配されてもよい。この例では、異なるセクタでのアップリンクおよびダウンリンク送信に関するＬ１処理は、ＮｏｄｅＢにおける異なるＬ１処理ボードの間で分配されてもよい。
【００５９】
さらに別の例において、第１のサブセットのセルに関するマルチキャリア・アップリンク／ダウンリンク機能（例えば、第１の通信機能または第１の通信機能の組）は、第１のＬ１処理ボードにおいて実行されてもよく、一方では、第２のサブセットのセルに関するマルチキャリア・アップリンク／ダウンリンク機能および干渉除去（例えば、第２の組の通信機能）は、第２のＬ１処理ボードにおいて実行されてもよい。この場合、第１のサブセットのセル内のセルの数は第２のサブセット内のセルの数よりも大きくてもよく、それによってＮｏｄｅＢにおける通信機能の負荷が分配されて釣り合わされる。
【００６０】
いくつかの実施形態例は、マルチキャリア・アップリンク／ダウンリンク通信機能および干渉除去機能に関して説明され、そこでは、異なるセルにおいてこれらの機能と関連づけられた処理がＮｏｄｅＢにおける異なるＬ１処理ボードの間で分配される。しかしながら、実施形態例は、同一の、または実質的に同一の方法で、異なる通信機能に適用されてもよいことを理解すべきである。
【００６１】
図１は、一実施形態例によるマルチボード・アーキテクチャ（ＭＢＡ）を有するＮｏｄｅＢを含む第５世代（５Ｇ）無線ネットワークの一部を例示する。図１に示される５Ｇネットワークはネットワーク・セントラル・システムである。
【００６２】
図１を参照すると、ＮｏｄｅＢ２０は、通信機能を含む無線リソースをユーザに提供することによって、地理的カバレッジ・エリア１００におけるマルチキャリア・ユーザ（マルチキャリア・ユーザＵＳＥＲ１およびＵＳＥＲ２によって表される）にサービスを行う。ＮｏｄｅＢ２０は中央局２１０と通信的に結合される。中央局２１０はさらにコア・ネットワークに結合される。
【００６３】
中央局２１０は複数のＮｏｄｅＢにわたる無線周波数（ＲＦ）アンテナへの／からの情報を処理する。中央局２１０は、とりわけ、Ｌ２スケジューリング動作を実行する１つまたは複数のＬ２スケジューラ、および、Ｌ３動作を実行する１つまたは複数のＬ３処理ボードを含む。より詳細には、１つまたは複数のＬ２スケジューラは、すべてのセルに関するＬ１処理ボードのそれぞれに対してスケジューリング機能を実行する。図１に示された特定のマルチキャリア・ユーザ（例えばユーザＵＳＥＲ１および／またはユーザＵＳＥＲ２）に関して、Ｌ２スケジューラはユーザが位置しているセクタ内の４つのキャリアに対してスケジュール機能を実行する。Ｌ３処理は、接続管理などの無線リソース制御（ＲＲＣ）、システム情報のブロードキャスト、セキュリティ・モード制御、測定プロシージャ、より高いレイヤーアクセスなどを含む。
【００６４】
中央局２１０のＬ２スケジューラおよびＬ３処理ボード／ブロック／回路は共に、例えば、各ユーザに関する、セル構成、リソース割り当て、およびチャネルの追加／削除を実行する。
【００６５】
中央局２１０のＬ２スケジューラはＮｏｄｅＢ２０、およびコモン・パブリック・ラジオ・インターフェース（ＣＰＲＩ）リンクを介して各Ｌ１処理ボードに、通信的に結合される。
【００６６】
さらに図１を参照すると、ＮｏｄｅＢ２０は複数のＬ１処理ボード２０２−１、２０２−２および２０２−３を含む。Ｌ１処理ボード２０２−１、２０２−２および２０２−３は動作的に（または通信的に）互いに情報を交換するように互いに結合される。Ｌ１処理ボード２０２−１、２０２−２および２０２−３は、ＮｏｄｅＢ２０において互いに分離しているが、互いに接続される。この点で、Ｌ１処理ボード２０２−１、２０２−２および２０２−３は単一ボード・アーキテクチャ（ＳＢＡ）よりもむしろ、マルチボード・アーキテクチャ（ＭＢＡ）を有するように配置される。
【００６７】
一例では、Ｌ１処理ボード２０２−１、２０２−２および２０２−３はＬ１インターフェース・メッセージを介して互いに情報を交換する。以下により詳細に述べるように、Ｌ１インターフェース・メッセージは、アップリンクおよび／またはダウンリンク制御チャネル情報、ユーザ・データの組などを含んでもよい。
【００６８】
ＮｏｄｅＢのＬｉ処理ボードにおいて実行中の主要なＬ１機能（例えば変調および復調）に関する、および、中央局において実行中の主要なＬ２機能（例えばスケジューリング）に関する実施形態例が本明細書で述べられる。しかしながら、いくつかのＬ１／Ｌ２インターフェース部はＬ１処理ボードまたは中央局において実装されてもよい。したがって、Ｌ１処理ボードは主要でないＬ２機能を有してもよく、中央局のＬ２スケジューラは主要でないＬ１機能を有してもよい。例えば、複数のアンテナからのアップリンク・データの組み合わせは、主要でないＬ２機能とみなされてもよく、しかしながら、アンテナの組がＬ１処理ボードに位置する場合はＬ１処理ボードに実装されてもよい。別の例において、周期的冗長検査（ＣＲＣ：ｃｙｃｌｉｃ  ｒｅｄｕｎｄａｎｃｙ  ｃｈｅｃｋ）およびペイロード分離は主要でないＬ１機能とみなされてもよく、しかしながらＬ２スケジューラに実装されてもよい。
【００６９】
図１に示されたＬ１処理ボード２０２−１、２０２−２および２０２−３は、様々な方法で互いに結合されてもよい。図２および図３は、ＮｏｄｅＢ２０などのＮｏｄｅＢにおけるＮ個のＬ１処理ボードの間のボード間リンクの構成例を示す。図１に示された実施形態例ではＮ＝３である。しかしながら、実施形態例はこの例には限定されない。
【００７０】
より詳細には、図２はＮ個のＬ１処理ボード２０２−１、２０２−２、２０２−３、・・・、２０２−Ｎを接続する星型トポロジを示す。図２に示される例において、各Ｌ１処理ボードは、他のＬ１処理ボードと情報を交換する単一の直列化回路／非直列化回路（ＳＥＲＤＥＳ）Ｉ／Ｏポートを有する。
【００７１】
図３は、Ｎ個のＬ１処理ボード２０２−１、２０２−２、２０２−３、・・・、２０２−Ｎを互いに接続するリング型トポロジを示す。この例では、各Ｌ１処理ボードは、他のＬ１ボードと情報を交換する２つのＳＥＲＤＥＳ  Ｉ／Ｏポートを有する。
【００７２】
図２および図３に示された構成例において、相互接続構成のそれぞれは、シリアルＲａｐｉｄＩＯ（ｓＲＩＯ）工業規格リンクなどの高速ＳＥＲＤＥＳ物理的リンクを利用する。しかしながら、実施形態例はそれらの例に限定されるべきではない。
【００７３】
リング型および星型のトポロジのみが本明細書で述べられるが、Ｌ１処理ボードは任意の適切な相互接続トポロジを用いて相互接続されてもよい。
【００７４】
図１に戻ると、Ｌ１処理ボードのそれぞれはＬ１処理回路を含む。より詳細には、Ｌ１処理ボード２０２−１はＬ１処理回路２０２０−１を含み、Ｌ１処理ボード２０２−２はＬ１処理回路２０２０−２を含み、Ｌ１処理ボード２０２−３はＬ１処理回路２０２０−３を含む。
【００７５】
実施形態例によれば、Ｌ１処理回路はハードウェア、ファームウェア、ソフトウェアを実行するハードウェア、またはそれらの任意の組み合わせであってもよい。Ｌ１処理回路がハードウェアの場合、そのようなハードウェアは、１つまたは複数の中央演算装置（ＣＰＵ）、システム・オン・チップ（ＳＯＣ）デバイス、デジタル信号プロセッサ（ＤＳＰ）、特定用途向け集積回路（ＡＳＩＣ）、フィールド・プログラマブル・ゲート・アレイ（ＦＰＧＡ）コンピュータ、または、Ｌ１処理回路の機能（例えば、通信機能、通信機能の組、および／または、通信機能もしくは通信機能の組に関連づけられたタスク／機能の実装）を実行する特別な目的の機械として構成された同様のものを含んでもよい。ＣＰＵ、ＳＯＣ、ＤＳＰ、ＡＳＩＣおよびＦＰＧＡは、一般にプロセッサおよび／またはマイクロプロセッサとみなされてもよい。
【００７６】
本明細書で述べるように、Ｌ１処理回路は所与のＬ１処理ボードに対してローカルまたはリモートとして説明されてもよい。例えば、Ｌ１処理回路２０２０−１はＬ１処理ボード２０２−１に対するローカルなＬ１処理回路とみなされてもよいが、Ｌ１処理ボード２０２−２および２０２−３に対するリモートなＬ１処理回路とみなされてもよい。上記のように、Ｌ１処理ボード２０２−１、２０２−２および２０２−３は互いに接続される。この点で、各Ｌ１処理ボードおよび回路は他のＬ１処理ボードおよび回路のそれぞれに、動作的に接続されるか通信的に結合される。
【００７７】
Ｌ１処理ボード２０２−１、２０２−２および２０２−３ならびにそれらの構成要素の動作例は、図４から図９に関して以下により詳細に述べられる。
【００７８】
上記のように、簡略化と説明の明確性のために、図４から図８に示される実施形態例は、３つのセクタ（Ｓ１、Ｓ２、Ｓ３）に分割された地理的カバレッジ・エリア１００内の４つのキャリア（Ｃ１、Ｃ２、Ｃ３、Ｃ４）、キャリアごとに２つのアンテナ、および全体で１２の無線周波数（ＲＦ）セル（ＣＥＬＬ１〜ＣＥＬＬ１２）に関して構成されたＮｏｄｅＢ２０に関して説明される。
【００７９】
１２のＲＦセル（ＣＥＬＬ１〜ＣＥＬＬ１２）はセクタおよびキャリアに基づいて３つのグループに分割される。ＲＦセルＣＥＬＬ１〜ＣＥＬＬ４はセクタＳ１に、ＲＦセルＣＥＬＬ５〜ＣＥＬＬ８はセクタＳ２に、ＲＦセルＣＥＬＬ９〜ＣＥＬＬ１２はセクタＳ３にある。
【００８０】
ＲＦセルＣＥＬＬ１はセクタＳ１のキャリアＣ１に対応し、ＲＦセルＣＥＬＬ２はセクタＳ１のキャリアＣ２に対応し、ＲＦセルＣＥＬＬ３はセクタＳ１のキャリアＣ３に対応し、ＲＦセルＣＥＬＬ４はセクタＳ１のキャリアＣ４に対応し、ＲＦセルＣＥＬＬ５はセクタＳ２のキャリアＣ１に対応し、ＲＦセルＣＥＬＬ６はセクタＳ２のキャリアＣ２に対応し、ＲＦセルＣＥＬＬ７はセクタＳ２のキャリアＣ３に対応し、ＲＦセルＣＥＬＬ８はセクタＳ２のキャリアＣ４に対応し、ＲＦセルＣＥＬＬ９はセクタＳ３のキャリアＣ１に対応し、ＲＦセルＣＥＬＬ１０はセクタＳ３のキャリアＣ２に対応し、ＲＦセルＣＥＬＬ１１はセクタＳ３のキャリアＣ３に対応し、ＲＦセルＣＥＬＬ１２はセクタＳ３のキャリアＣ４に対応する。
【００８１】
さらに、実施形態例が３つのセクタ（Ｓ１、Ｓ２、Ｓ３）に関して説明されるにもかかわらず、セクタＳ１、Ｓ２およびＳ３のそれぞれはサブセットのセクタを意味してもよく、その際は各サブセットは１つまたは複数のセクタを含む。この例では、各サブセットのセクタは異なってもよく、より詳細には、１つのサブセットのセクタのそれぞれは第２のサブセットのセクタと異なってもよい。同様に、実施形態例が４つのキャリア（Ｃ１、Ｃ２、Ｃ３、Ｃ４）に関して説明されるにもかかわらず、キャリアＣ１からＣ４のそれぞれはサブセットのキャリアを意味してもよく、各サブセットは１つまたは複数のキャリアを含む。この例では、各サブセットのキャリアは異なってもよく、より詳細には、１つのサブセットのキャリアのそれぞれは第２のサブセットのキャリアと異なってもよい。
【００８２】
上記のように、図１に示された例のＮｏｄｅＢ２０はセルごとに２つのＲＦアンテナを有する。上で述べられた例のように、キャリアＣ１およびＣ２のそれぞれに関する２つのＲＦアンテナ（すなわち、全部で４つのＲＦアンテナ）がＬ１処理ボード２０２−１に接続される。キャリアＣ３に関する２つのＲＦアンテナがＬ１処理ボード２０２−２に接続される。キャリアＣ４に関する２つのＲＦアンテナがＬ１処理ボード２０２−３に接続される。結果として、ＮｏｄｅＢ２０によって提供された１２のセルＣＥＬＬ１〜ＣＥＬＬ１２が３つのＬ１処理ボード２０２−１、２０２−２および２０２−３の間で分配される。より詳細には、６つのセルＣＥＬＬ１、ＣＥＬＬ２、ＣＥＬＬ５、ＣＥＬＬ６、ＣＥＬＬ９、およびＣＥＬＬ１０（セクタＳ１からＳ３のキャリアＣ１およびＣ２としても説明されうる）がＬ１処理ボード２０２−１に接続され、３つのセルＣＥＬＬ３、ＣＥＬＬ７、およびＣＥＬＬ１１（セクタＳ１からＳ３のキャリアＣ３としても説明されうる）がＬ１処理ボード２０２−２に接続され、３つのセルＣＥＬＬ４、ＣＥＬＬ８、およびＣＥＬＬ１２（セクタＳ１からＳ３のキャリアＣ４としても説明されうる）がＬ１処理ボード２０２−３に接続される。
【００８３】
実施形態例は、本明細書に記載の処理ボードの間のセルの特定の分配に限定されないことを理解すべきである。
【００８４】
少なくともいくつかの実施形態例によれば、少なくとも２つのＬ１処理ボードのそれぞれがユーザに関する異なる組の通信機能と関連づけられてもよい。１つの組の通信機能は１つまたは複数の通信機能を含んでもよい。いくつかの実施形態例において、各組の通信機能内の通信機能は重複してもよく、それに対して、他の実施形態例においては、各組の通信機能内の通信機能は重複しなくてもよく、したがって第１の組の通信機能内の各通信機能は第２の組の通信機能内の各通信機能と異なる。
【００８５】
いくつかの実施形態例によれば、ＮｏｄｅＢにおける少なくとも２つのＬ１処理ボードのそれぞれは、異なる組の１つまたは複数のユーザ通信機能と関連づけられた機能を実行する。例えば、Ｌ１処理ボード２０２−１は第１の組の通信機能（例えば、マルチキャリア・アップリンク／ダウンリンク通信機能）と関連づけられた機能を実行してもよく、それに対して、Ｌ１処理ボード２０２−２および２０２−３は第２の組の通信機能（例えば、マルチキャリア・アップリンク／ダウンリンク通信機能ならびに干渉除去機能。これは干渉除去通信機能を有するマルチキャリア・アップリンク／ダウンリンクとみなされることもできる）と関連づけられた機能を実行してもよい。
【００８６】
この例では、マルチキャリア・アップリンク／ダウンリンク通信機能に関して、Ｌ１処理ボード２０２−１がセクタＳ１からＳ３のキャリアＣ１およびＣ２に関する（すなわち、セルＣＥＬＬ１、ＣＥＬＬ２、ＣＥＬＬ５、ＣＥＬＬ６、ＣＥＬＬ９およびＣＥＬＬ１０における）この通信機能を提供する機能を実行し、Ｌ１処理ボード２０２−２がセクタＳ１からＳ３のキャリアＣ３に関する（すなわち、セルＣＥＬＬ３、ＣＥＬＬ７およびＣＥＬＬ１１における）この通信機能を提供する機能を実行し、Ｌ１処理ボード２０２−３がセクタＳ１からＳ３のキャリアＣ４に関する（すなわち、セルＣＥＬＬ４、ＣＥＬＬ８およびＣＥＬＬ１２における）この通信機能を提供する機能を実行する。
【００８７】
加えて、Ｌ１処理ボード２０２−２および２０２−３はセクタＳ１からＳ３のキャリアＣ３に関する（すなわち、セルＣＥＬＬ３、ＣＥＬＬ７およびＣＥＬＬ１１における）、およびセクタＳ１からＳ３のキャリアＣ４に関する（すなわち、セルＣＥＬＬ４、ＣＥＬＬ８およびＣＥＬＬ１２における）、干渉除去機能を提供する機能を実行し、それに対して、Ｌ１処理２０２−１は、セルＣＥＬＬ１、ＣＥＬＬ２、ＣＥＬＬ５、ＣＥＬＬ６、ＣＥＬＬ９およびＣＥＬＬ１０におけるユーザに、この機能を提供する機能を実行しない。
【００８８】
例示の目的で、いくつかの実施形態例がユーザに関するマルチキャリア・アップリンク／ダウンリンク機能および干渉除去機能の分配に関して説明されてもよい。ユーザＵＳＥＲ１に関して説明される場合、キャリアＣ１はアンカー・キャリアとして説明され、Ｌ１処理ボード２０２−１はアンカーＬ１処理ボードとして説明され、Ｌ１処理回路２０２０−１はアンカーＬ１処理回路として説明され、それに対して、キャリアＣ２、Ｃ３およびＣ４は二次キャリアとして説明され、Ｌ１処理ボード２０２−２および２０２−３は二次Ｌ１処理ボードとして説明され、Ｌ１処理回路２０２０−２および２０２０−３は二次Ｌ１処理回路として説明される。同様に、セルＣＥＬＬ１はアンカー・セルとして説明されてもよく、それに対して、セルＣＥＬＬ２、ＣＥＬＬ３およびＣＥＬＬ４は二次セルとして説明されてもよい。しかしながら、セルＣＥＬＬ１からＣＥＬＬ１２のいずれも、あるユーザに関してアンカー・セルでありかつ他のユーザに関して二次セルであるようにサービスを行ってもよく、キャリアＣ１からＣ４のいずれも、あるユーザに関してアンカー・キャリアでありかつ他のユーザに関して二次キャリアであってもよく、Ｌ１処理ボードのそれぞれも、あるユーザに対してアンカーＬ１処理ボードでありかつ他ユーザに対して二次Ｌ１処理ボードであるようにサービスを行ってもよいことは理解されるべきである。同様に、Ｌ１処理回路のそれぞれも、アンカーＬ１処理回路と二次Ｌ１処理回路の両方としてサービスを行ってもよい。少なくともいくつかの実施形態例では、Ｌ１処理ボード２０２−１はキャリアＣ１に対するアンカーＬ１処理ボードとして、キャリアＣ２に対する二次Ｌ１処理ボードとして機能してもよい。
【００８９】
さらに、例示の目的で、いくつかの実施形態例が図１のマルチキャリア・ユーザＵＳＥＲ１に関するアップリンク送信に対して説明される。しかしながら、同様の処理が無線通信ネットワーク内の任意の数のユーザに関して実行されてもよいことは理解されるべきである。
【００９０】
図５は、アンカーＬ１処理ボード２０２−１においてアップリンク通信を処理する方法の実施形態例を示す流れ図である。図６は、二次Ｌ１処理ボード（例えば、２０２−２および／または２０２−３）においてアップリンク通信を処理する方法の実施形態例を示す流れ図である。
【００９１】
図５および図６に示された実施形態例は共に、マルチキャリア・ユーザに関するマルチキャリア・アップリンク通信機能に関するマルチキャリア・アップリンク・タスクに関連づけられた機能の例を示す。すなわち、例えば、図５および図６に示された方法は、ある実施形態例によるＭＢＡにおけるマルチキャリア・ユーザにマルチキャリア・アップリンク通信機能を提供することと関連づけられた機能を示す。
【００９２】
例示の目的で、図５および図６に示された方法は、マルチキャリア・ユーザＵＳＥＲ１、および図１に示された通信ネットワークの一部に関して説明される。
【００９３】
図１から図５を参照すると、ステップＳ５０２においてアンカーＬ１処理回路２０２０−１は、１つまたは複数のＲＦアンテナ・ストリームを介して、セクタＳ１（セルＣＥＬＬ１）におけるアンカー・キャリアＣ１でユーザＵＳＥＲ１によって送信されたアップリンク物理チャネルを受信する。この例では、アップリンク物理チャネルはアップリンク制御チャネルおよびアップリンク・データ・チャネルを含む。
【００９４】
ステップＳ５０４において、アンカーＬ１処理回路２０２０−１は、アップリンク制御チャネル情報を得るように、受信されたアップリンク制御チャネルのＬ１処理機能を実行する。より詳細には、ステップＳ５０４において、アンカーＬ１処理回路２０２０−１は、アップリンク制御チャネル情報を得るように、アップリンク制御チャネルを復調および復号する。一例では、アップリンク制御チャネル情報は、タイミング／同期情報、チャネル品質表示情報（例えば、ＣＱＩ情報）、受信品質情報（例えば、ユーザＵＳＥＲ１がＮｏｄｅＢ２０による最後の送信を成功して受信したかどうかを示すＡｃｋ／Ｎａｃｋ）、電源制御ループ情報などを含んでもよい。
【００９５】
ユーザＵＳＥＲ１に関するマルチキャリア・アップリンク通信機能において、アンカー・セルＣＥＬＬ１のみがアップリンク制御チャネルを有し、すべての二次セルＣＥＬＬ２からＣＥＬＬ４はアンカー・セル・アップリンク制御チャネルを共有する。したがって、この例では、アンカーＬ１処理回路２０２０−１のみが、アンカー・セルＣＥＬＬ１に連動するアップリンク物理チャネルのアップリンク制御チャネル部分を受信する。
【００９６】
さらに図５を参照すると、ステップＳ５０６において、アンカーＬ１処理回路２０２０−１は二次Ｌ１処理回路２０２０−２および２０２０−３にアップリンク制御チャネル情報を出力する。より詳細には、ステップＳ５０６において、アンカーＬ１処理回路２０２０−１はアップリンク制御チャネル情報を含む制御チャネル情報パケットを生成し、Ｌ１処理ボード２０２−１は、二次Ｌ１処理ボード２０２−２および２０２−３に制御チャネル情報パケットを出力する。
【００９７】
一例では、アップリンク制御チャネル情報は、アンカー・セルＣＥＬＬ１および二次セルＣＥＬＬ２からＣＥＬＬ４に関する電源制御ループ情報と同様に、タイミング情報を含む。電源制御ループはＬ１処理回路に実装されたＬ１機能であるため、アンカーＬ１処理ボード２０２−１は電源制御ループ情報を二次Ｌ１処理ボード２０２−２および２０２−３に提供する。また、Ｌ１処理ボードの間で処理を同期化するように、Ｌ１処理ボード２０２−１はタイミング情報を二次処理ボード２０２−２および２０２−３に提供する。アンカーＬ１処理ボード２０２−１は、Ｌ１インターフェース・メッセージを用いて上で述べられたボード間通信リンクを介して、アップリンク制御チャネル情報を二次Ｌ１処理ボード２０２−２および２０２−３に提供する。
【００９８】
さらに図１および図５を参照すると、ステップＳ５０８において、アンカーＬ１処理回路２０２０−１は受信されたアップリンク・データ・チャネルでＬ１処理機能を実行する。より詳細には、ステップＳ５０８において、アップリンク制御チャネル情報を用いて、アンカーＬ１処理回路２０２０−１は、セクタＳ１（セルＣＥＬＬ１）におけるキャリアＣ１でユーザＵＳＥＲ１によって送信されたデータ符号を復元するように、１つまたは複数のＲＦアンテナ・ストリームを介して受信されたアップリンク・データ・チャネルを復調する。Ｌ１処理回路２０２０−１は、ユーザＵＳＥＲ１によって送信されたＬ１データビット・シーケンス（搬送ブロック、ペイロード・データ、またはデータ・パケットともみなされる）を復元するように、ダイバーシティ・アンテナ符号を組み合わせ、組み合わせられたデータ符号を復号する。
【００９９】
ステップＳ５１０において、アンカーＬ１処理回路２０２０−１はアップリンク制御チャネル情報と、復元されたデータビット・シーケンス（搬送ブロックまたはペイロード・データ）とを、上で述べたＣＰＲＩリンクを介して中央局２１０のＬ２スケジューラ（図示しない）に出力する。中央局２１０のＬ２スケジューラの機能は以下により詳細に説明される。
【０１００】
次に図６を参照すると、ステップＳ６０２において、二次Ｌ１処理回路２０２０−２はアンカーＬ１処理ボード２０２−１から、アップリンク制御チャネル情報を含む制御チャネル情報パケットを受信する。上で述べたように、アップリンク制御チャネル情報は、例えば、アップリンク電源制御ループ情報およびタイミング情報を含む。二次Ｌ１処理回路２０２０−２は、キャリアＣ３で受信されたアップリンク送信の処理を、キャリアＣ１、Ｃ２およびＣ４で受信されたアップリンク送信の処理と同期化するように、タイミング情報を用いる。この点で、二次Ｌ１処理回路２０２０−２は、セクタＳ１（セルＣＥＬＬ３）におけるキャリアＣ３で受信されたアップリンク送信の処理を、セクタＳ１（セルＣＥＬＬ１）におけるアンカー・キャリアＣ１で受信されたアップリンク送信の処理と同期化するように、タイミング情報を用いてもよい。二次キャリアで受信されたアップリンク送信の処理を、アンカー・キャリアのアップリンク送信の処理と同期化することによって、すべてのキャリアでのアップリンク送信の処理が同期化されてもよい。
【０１０１】
アンカーＬ１処理回路によって提供されたアップリンク電力制御ループ情報は、以下の通り利用される。
【０１０２】
複数のセルにおける複数のキャリアでのダウンリンク送信に関して、ユーザはダウンリンク・チャネル品質情報（ＣＱＩ）を測定し、異なるセルにおいて受信されたデータに関して周期的冗長検査（ＣＲＣ、Ａｃｋ／Ｎａｃｋ）を実行する。ユーザはアンカー・セルと二次セルに関するＣＱＩとＡｃｋ／Ｎａｃｋ情報とを組み合わせ、アンカー・セルにおけるアップリンク制御チャネルを介して、組み合わせられた情報をＮｏｄｅＢに送信する。アンカーＬ１処理回路はＣＱＩおよびＡｃｋ／Ｎａｃｋ情報を復号し、情報をアンカー・セルの組と二次セルの組に分割する。アンカーＬ１処理回路は、アンカー・セルに関するユーザが報告したチャネル品質情報（ＣＱＩ）に基づいて、ダウンリンク送信電力を調整する（例えば、増加させるか減少させる）。アンカーＬ１処理回路は、そして、ユーザが報告した二次セルＣＱＩ情報に基づいて、二次セルにおけるダウンリンク送信電力を調整する（例えば、増加させるか減少させる）ように、二次ＣＱＩを二次Ｌ１処理回路に関する二次Ｌ１処理ボードに送信する。
【０１０３】
さらに図６を参照すると、ステップＳ６０４において、二次Ｌ１処理回路２０２０−２は、セクタＳ１（二次セルＣＥＬＬ３）における二次キャリアＣ３でユーザＵＳＥＲ１によって送信されたアップリンク・データ・チャネルでＬ１処理機能を実行する。より詳細には、ステップＳ６０４において、アンカーＬ１処理ボード２０２−１からのアップリンク制御チャネル情報を用いて、二次Ｌ１処理回路２０２０−２は、ユーザＵＳＥＲ１によって送信されたデータ符号を復元するように、セクタＳ１（二次セルＣＥＬＬ３）における二次キャリアＣ３で送信されたアップリンク・データ・チャネルを復調する。二次Ｌ１処理回路２０２０−２は、二次キャリアＣ３のユーザＵＳＥＲ１によって送信されたＬ１データビット・シーケンス（搬送ブロックまたはペイロード・データ）を復元するように、ダイバーシティ・アンテナ符号を組み合わせ、組み合わせられた符号を復号する。
【０１０４】
ステップＳ６０６において、二次Ｌ１処理回路２０２０−２は、復元された送信されたデータビット・シーケンスを、中央局２１０のＬ２スケジューラに出力する。二次Ｌ１処理回路２０２０−２は、制御チャネル情報パケットを出力してもよい。二次セルＣＥＬＬ３における制御チャネル情報パケットは制御チャネル情報、例えば、搬送ブロック（復元されたデータビット）がどのように定義されて符号化されるかを示す符号化情報などを含んでもよい。
【０１０５】
知られているように、所与のセルにおいて複数の制御チャネルがある。そして、異なる制御チャネルが異なる組の制御情報を提供する。一例において、二次Ｌ１処理ボードが、アップリンク・データ・チャネルと、データ・チャネル符号化情報を提供する対応するアップリンク制御チャネルとを復号する。少なくともいくつかの実施形態例によれば、各Ｌ１処理ボードは、復号されたデータ・パケット（搬送ブロック）および対応する制御メッセージ（搬送ブロックがどのように定義されて符号化されるかを示す）を、さらなる処理のために中央局のＬ２スケジューラに送る。
【０１０６】
中央局２１０のＬ２スケジューラは、Ｌ１処理ボード２０２−１、２０２−２および２０２−３から、アップリンク制御チャネル情報パケットおよび送信されたデータビット・シーケンスを受信する。より詳細には、Ｌ２スケジューラは、セクタＳ１（セルＣＥＬＬ１）におけるアンカー・キャリアＣ１と、アンカーＬ１処理ボード２０２−１からのセクタＳ１（セルＣＥＬＬ２）における二次キャリアＣ２とで、ユーザＵＳＥＲ１によって送信された、アップリンク制御チャネル情報パケットおよび復元されたデータビット・シーケンスを受信し、二次Ｌ１処理ボード２０２−２からのセクタＳ１（セルＣＥＬＬ３）における二次キャリアＣ３でユーザＵＳＥＲ１によって送信された、アップリンク制御チャネル情報パケットおよび復元されたデータビット・シーケンスを受信し、二次Ｌ１処理ボード２０２−３からのセクタＳ１（セルＣＥＬＬ４）における二次キャリアＣ４でユーザＵＳＥＲ１によって送信された、アップリンク制御チャネル情報パケットおよび復元されたデータビット・シーケンスを受信する。中央局２１０のより高いレイヤー（例えばＬ３）情報処理のために、そしてコア・ネットワークを介したさらなる送信のために、アップリンク制御チャネル情報を用いて、Ｌ２スケジューラはＬ１処理ボード２０２−１、２０２−２および２０２−３からの復元されたデータビット・シーケンスを組み合わせる。
【０１０７】
一実施形態例によるＭＢＡを有するＮｏｄｅＢにおいて実装される、マルチキャリア・アップリンク／ダウンリンク通信機能のダウンリンク部分を、次に詳細に説明する。
【０１０８】
ダウンリンクにおいて、Ｌ２スケジューラはダウンリンク・ユーザ・データを複数のデータの組に分割または分離する。複数のデータの組の各々は、セクタＳ１（セルＣＥＬＬ１）におけるキャリアＣ１、セクタＳ１（セルＣＥＬＬ２）におけるキャリアＣ２、セクタＳ１（セルＣＥＬＬ３）におけるキャリアＣ３、セクタＳ１（セルＣＥＬＬ４）におけるキャリアＣ４のうち１つでユーザＵＳＥＲ１に送信されるデータを含む。Ｌ２スケジューラは、そして、キャリアごとにＬ１処理ボード２０２−１、２０２−２および２０２−３へのデータの組を出力する。一例では、ユーザＵＳＥＲ１にマルチキャリア・ダウンリンク通信機能を提供する機能がＮｏｄｅＢ２０のＬ１処理ボードの間で分配されるように、Ｌ２スケジューラはキャリアごとにＬ１処理ボード２０２−１、２０２−２および２０２−３の間でデータの組を分配してもよい。
【０１０９】
例えば、Ｌ２スケジューラはセクタＳ１（セルＣＥＬＬ１）におけるキャリアＣ１でユーザＵＳＥＲ１への送信のためにＬ１処理ボード２０２−１に第１の複数のデータの組を送り、Ｌ２スケジューラはセクタＳ１（セルＣＥＬＬ２）におけるキャリアＣ２でユーザＵＳＥＲ１への送信のためにＬ１処理ボード２０２−１に第２の複数のデータの組を送り、Ｌ２スケジューラはセクタＳ１（セルＣＥＬＬ３）におけるキャリアＣ３でユーザＵＳＥＲ１への送信のためにＬ１処理ボード２０２−２に第３の複数のデータの組を送り、Ｌ２スケジューラはセクタＳ１（セルＣＥＬＬ４）におけるキャリアＣ４でユーザＵＳＥＲ１への送信のためにＬ１処理ボード２０２−３に第４の複数のデータの組を送る。
【０１１０】
Ｌ２スケジューラはまた、ダウンリンク制御チャネル情報を複数のダウンリンク制御チャネル情報パケットに分割する。複数のダウンリンク制御チャネル情報パケットの各々は、セクタＳ１（それぞれ、セルＣＥＬＬ１、ＣＥＬＬ２、ＣＥＬＬ３およびＣＥＬＬ４）における、キャリアＣ１、Ｃ２、Ｃ３およびＣ４のうち１つで、ユーザＵＳＥＲ１に送信されるデータに関するダウンリンク制御チャネル情報を含む。一例では、ダウンリンク制御チャネル情報パケットは、セル配置情報、タイミング情報、キャリアに関するダウンリンク・チャネル配置情報、電力設定情報などを含んでもよい。アンカー・セルＣＥＬＬ１および二次セルＣＥＬＬ２に関するダウンリンク制御チャネル情報パケットはＬ１処理ボード２０２−１に送られ、二次セルＣＥＬＬ３に関するダウンリンク制御チャネル情報パケットはＬ１処理ボード２０２−２に送られ、二次セルＣＥＬＬ４に関するダウンリンク制御チャネル情報パケットはＬ１処理ボード２０２−３に送られる。
【０１１１】
図７はＮｏｄｅＢ２０におけるダウンリンク通信を処理する方法の実施形態例を示す流れ図である。図７に示される実施形態例は、マルチキャリア・ユーザに関するマルチキャリア・ダウンリンク通信機能と関連づけられた、マルチキャリア・ダウンリンク・タスクと関連づけられた機能の例を示す。すなわち、例えば、図７で示される方法は、一実施形態例による、ＭＢＡにおけるマルチキャリア・ユーザに関するマルチキャリア・ダウンリンク通信機能を提供することと関連づけられた機能を例示する。
【０１１２】
図７を参照すると、ステップＳ７０２において、各Ｌ１処理ボードは中央局２１０から、１つまたは複数のダウンリンク制御チャネル情報パケットと、セクタＳ１（セルＣＥＬＬ１、ＣＥＬＬ２、ＣＥＬＬ３およびＣＥＬＬ４）における、キャリアＣ１、Ｃ２、Ｃ３およびＣ４のうち対応する１つで、ユーザＵＳＥＲ１に送信するためのダウンリンク・データの組とを受信する。
【０１１３】
より詳細な例では、ステップＳ７０２において、Ｌ１処理ボード２０２−１はセクタＳ１（セルＣＥＬＬ１）におけるキャリアＣ１でユーザＵＳＥＲ１に送信されるダウンリンク制御チャネル情報パケットおよび第１のダウンリンク・データの組を受信し、Ｌ１処理ボード２０２−１はセクタＳ１（セルＣＥＬＬ２）におけるキャリアＣ２でユーザＵＳＥＲ１に送信されるダウンリンク制御チャネル情報パケットおよび第２のダウンリンク・データの組を受信し、Ｌ１処理ボード２０２−２はセクタＳ１（セルＣＥＬＬ３）におけるキャリアＣ３でユーザＵＳＥＲ１に送信されるダウンリンク制御チャネル情報パケットおよび第３のダウンリンク・データの組を受信し、Ｌ１処理ボード２０２−３はセクタＳ１（セルＣＥＬＬ４）におけるキャリアＣ４でユーザＵＳＥＲ１に送信されるダウンリンク制御チャネル情報パケットおよび第４のダウンリンク・データの組を受信する。
【０１１４】
少なくとも１つの実施形態例において、各キャリアからのダウンリンク制御チャネル情報およびデータの組の中から、Ｌ１処理ボード２０２−１（ならびにＬ１処理回路２０２０−１）はセクタＳ１（セルＣＥＬＬ１およびＣＥＬＬ２）におけるキャリアＣ１およびＣ２でユーザＵＳＥＲ１に送信されるダウンリンク制御チャネル情報およびダウンリンク・データの組のみを受信し、Ｌ１処理ボード２０２−２（ならびにＬ１処理回路２０２０−２）はセクタＳ１（セルＣＥＬＬ３）におけるキャリアＣ３でユーザＵＳＥＲ１に送信されるダウンリンク制御チャネル情報およびダウンリンク・データの組のみを受信し、Ｌ１処理ボード２０２−３（ならびにＬ１処理回路２０２０−３）はセクタＳ１（セルＣＥＬＬ４）におけるキャリアＣ４でユーザＵＳＥＲ１に送信されるダウンリンク制御チャネル情報およびダウンリンク・データの組のみを受信する。
【０１１５】
図７に戻ると、ステップＳ７０４において、各Ｌ１処理回路は、それぞれ受信されたデータの組のダウンリンク・データビット・シーケンスを、ダウンリンク制御チャネル情報を用いて、セクタＳ１（それぞれ、セルＣＥＬＬ１、ＣＥＬＬ２、ＣＥＬＬ３およびＣＥＬＬ４）における、キャリアＣ１、Ｃ２、Ｃ３およびＣ４のうち対応する１つで、ユーザＵＳＥＲ１に送信するために、無線周波数（ＲＦ）信号ストリームに符号化する。
【０１１６】
より詳細には、Ｌ１処理ボード２０２−１は受信された第１のデータの組のダウンリンク・データビット・シーケンスを、セクタＳ１（セルＣＥＬＬ１）におけるキャリアＣ１でユーザＵＳＥＲ１に送信するために、無線周波数（ＲＦ）信号ストリームに符号化し、Ｌ１処理ボード２０２−１は受信された第２のデータの組のダウンリンク・データビット・シーケンスを、セクタＳ１（セルＣＥＬＬ２）におけるキャリアＣ２でユーザＵＳＥＲ１に送信するために、ＲＦ信号ストリームに符号化し、Ｌ１処理ボード２０２−２は受信された第３のデータの組のダウンリンク・データビット・シーケンスを、セクタＳ１（セルＣＥＬＬ３）におけるキャリアＣ３でユーザＵＳＥＲ１に送信するために、ＲＦ信号ストリームに符号化し、Ｌ１処理ボード２０２−３は受信された第４のデータの組のダウンリンク・データビット・シーケンスを、セクタＳ１（セルＣＥＬＬ４）におけるキャリアＣ４でユーザＵＳＥＲ１に送信するために、ＲＦ信号ストリームに符号化する。
【０１１７】
ステップＳ７０６において、Ｌ１処理ボード２０２−１、２０２−２および２０２−３のそれぞれは、所与のセルにおける所与のキャリアまたは複数のキャリアでユーザＵＳＥＲ１に送信するために、生成されたＲＦ信号ストリームを、対応する１つまたは複数のＲＦアンテナに出力する。
【０１１８】
そして、ＲＦ信号ストリームは、対応するＲＦアンテナを介してユーザに送信される。
【０１１９】
少なくともいくつかの実施形態例によれば、Ｌ１処理ボードは、Ｌ１処理ボードごとに３つのセクタにおいて１つまたは複数のキャリアに区切られる。任意の単一のマルチキャリア（例えば４キャリア）ユーザに関して、４つのキャリアはＮｏｄｅＢの３つのＬ１処理ボードの中で分配される。中央局のＬ２スケジューラは、３つのＬ１ボードにわたるキャリア集合に基づくスケジューリング機能を実行する。４つのキャリアがシステムとしてグループ化されるため、３つのＬ１処理ボードは互いに情報を交換する。これは、各ボードがすべての情報によってすべての通信機能を実装するためボード間通信が用いられない、従来のＳＢＡアーキテクチャとは異なる。
【０１２０】
１つまたは複数の実施形態例によるマルチボード・アーキテクチャは、従来の単一ボード・アーキテクチャにおいてみられる重複した機能を減らすことにより、ＮｏｄｅＢにおける不要なリソースの消費を減らすことができる。一例では、Ｌ１処理ボードは、従来の単一ボード・アーキテクチャと比較して、アンテナ・ストリームの一部または部分のみを処理する。
【０１２１】
実施形態例はまた、既存のボードのライフサイクルを延長し、既存のボードに追加の特徴を追加する可能性を提供してもよい。
【０１２２】
上で述べたように、ＮｏｄｅＢ２０におけるＬ１処理ボードのそれぞれによって提供される通信機能または通信機能の組は、異なってもよい。一例では、Ｌ１処理ボード２０２−２および２０２−３は、セクタＳ１からＳ３（セルＣＥＬＬ３、ＣＥＬＬ７およびＣＥＬＬ１１）におけるキャリアＣ３、および、セクタＳ１からＳ３（セルＣＥＬＬ４、ＣＥＬＬ８およびＣＥＬＬ１２）におけるキャリアＣ４でユーザに干渉除去を提供してもよい。
【０１２３】
図８は、図１に示されたＬ１処理ボード２０２−２および２０２−３の１つにおける干渉除去ユニットの実施形態例を示すブロック図である。例示の目的で、ブロック図は図１に示されたＬ１処理回路２０２−２におけるキャリアＣ３でユーザＵＳＥＲ１およびＵＳＥＲ２の間の干渉を除去することに関して説明される。
【０１２４】
実施形態例によれば、干渉除去ユニット（および／またはその１つまたは複数の構成要素）はハードウェア、ファームウェア、ソフトウェアを実行するハードウェア、またはそれらの組み合わせであってもよい。Ｌ１処理回路がハードウェアである場合、そのようなハードウェアは、１つまたは複数の中央演算装置（ＣＰＵ）、システム・オン・チップ（ＳＯＣ）デバイス、デジタル信号プロセッサ（ＤＳＰ）、特定用途向け集積回路（ＡＳＩＣ）、フィールド・プログラマブル・ゲート・アレイ（ＦＰＧＡ）コンピュータ、または、干渉除去ユニット（および／またはその１つまたは複数の構成要素）の機能を実行する特別な目的の機械として構成された同様のものを含んでもよい。ＣＰＵ、ＳＯＣ、ＤＳＰ、ＡＳＩＣおよびＦＰＧＡは、一般にプロセッサおよび／またはマイクロプロセッサとみなされてもよい。
【０１２５】
図８を参照すると、Ｌ１処理ボード２０２−２において受信されたＲＦ信号ストリームは、互いに混合されたか組み合わされた、ユーザＵＳＥＲ１からの送信（ＲＦ信号ストリーム部分）およびユーザＵＳＥＲ２からの送信（ＲＦ信号ストリーム部分）を含む。ユーザＵＳＥＲ１受信機に関して、ユーザＵＳＥＲ２によって送信されたＲＦ信号ストリーム部分は干渉である。図８に記載の干渉除去ブロックは、干渉するＲＦ信号ストリーム（この場合は、ユーザＵＳＥＲ２によって送信されたＲＦ信号ストリーム部分）を検出、復号および再構成し、受信されたＲＦ信号ストリームから干渉を除去する。このようにして、ユーザＵＳＥＲ１に関する受信機入力はよりクリアなものとなり、データ復元はより容易となりエラーを起こしにくくなる。
【０１２６】
図８において、全体のまたは組み合わせられた信号（ＸＵＳＥＲ１＋ＸＵＳＥＲ２）は、ユーザＵＳＥＲ１によって送信されたＲＦ信号ストリーム（ＲＦ信号ともみなされる）ＸＵＳＥＲ１およびユーザＵＳＥＲ２によって送信されたＲＦ信号ＸＵＳＥＲ２の組み合わせである。
【０１２７】
復号ユニット８０４は組み合わせられたＲＦ信号ＸＵＳＥＲ１＋ＸＵＳＥＲ２を、キャリアＣ３でユーザＵＳＥＲ２によって送信されたデータビット・シーケンスＵＳＥＲ２＿ＩＮＦＯを得るように復号する。復号ユニット８０４はデータビット・シーケンスＵＳＥＲ２＿ＩＮＦＯを再構成ユニット８０６に出力する。
【０１２８】
再構成ユニット８０６は、再構成されたＲＦ信号ストリームＲＥＣＯＮ＿ＸＵＳＥＲ２を得るように、ＵＳＥＲ２によって送信された、送信されたＲＦ信号ストリーム部分ＸＵＳＥＲ２を再構成または再編する。理論的には（実装エラーを無視すれば）、再構成されたＲＦ信号ストリームＲＥＣＯＮ＿ＸＵＳＥＲ２は、ユーザＵＳＥＲ２によって送信された、組み合わせられたＲＦ信号ストリーム（ＸＵＳＥＲ１＋ＸＵＳＥＲ２）の部分（すなわち、この例ではＸＵＳＥＲ２）と等しいか実質的に等しいはずである。再構成ユニット８０６は、減算ユニット８０８に再構成された信号ＲＥＣＯＮ＿ＸＵＳＥＲ２を出力する。
【０１２９】
さらに図８を参照すると、ユーザＵＳＥＲ２によって送信されるＲＦ信号ストリームが復号および再構成されている間、組み合わせられた信号（ＸＵＳＥＲ１＋ＸＵＳＥＲ２）は遅延バッファ８０２によってバッファされる。バッファの後、遅延バッファ８０２は組み合わせられた信号（ＸＵＳＥＲ１＋ＸＵＳＥＲ２）を減算ユニット８０８に出力する。
【０１３０】
減算ユニット８０８は、再構成された信号ＲＥＣＯＮ＿ＸＵＳＥＲ２を組み合わせられたＲＦ信号（ＸＵＳＥＲ１＋ＸＵＳＥＲ２）から減算することによって、ユーザＵＳＥＲ２によって送信された、組み合わせられたＲＦ信号（ＸＵＳＥＲ１＋ＸＵＳＥＲ２）の部分を除去し、それによって、キャリアＣ３でユーザＵＳＥＲ１によって送信されるＲＦ信号ストリームＸＵＳＥＲ１を得る。ＲＦ信号ストリームＸＵＳＥＲ１は、Ｌ１処理ボード２０２−２におけるさらなる処理（例えばＬ１処理）のためにユーザＵＳＥＲ１に関する受信機に出力される。
【０１３１】
上で述べたようなものなどの干渉除去機能は、余分な復号および／または遅延バッファのための、比較的著しいハードウェア・リソースを必要とすることがある。したがって、ＮｏｄｅＢにおけるＬ１処理ボードの負荷は、より少ない数のセルを処理するＬ１処理ボード（例えば、３つのセルのみを処理する必要がある、例えばＬ１処理ボード２０２−２および２０２−３）の干渉除去機能を提供することによって釣り合いをとる。
【０１３２】
ボード・リソースの使用を改善するように、望ましい負荷釣り合わせが、複数のＬ１処理ボードにわたるタスク分割および分配の動的な管理によって達成されてもよい。いくつかの実施形態例は、Ｌ１処理ボードの間の通信機能処理の負荷釣り合わせの方法を提供する。いくつかの実施形態例はまた、システムとしてＬ１処理ボードが機能するように構成されたマルチボード・アーキテクチャを有するＮｏｄｅＢを提供し、それによってＮｏｄｅＢにおける通信機能処理の動的な負荷釣り合わせを可能にする。
【０１３３】
負荷釣り合わせの方法の実施形態例が、干渉除去機能に関して本明細書に説明される。しかしながら、実施形態例は他のユーザ機能に適用されてもよいことは理解すべきである。
【０１３４】
一般に、マルチボード負荷釣り合わせは１つまたは複数のＮｏｄｅＢ（例えば単一のＮｏｄｅＢ）で複数のボードにわたるリソースの使用を改善してもよい。Ｌ１ボード・リソースは、例えば、ハードウェア処理電力、有効なメモリサイズ、および各ユーザに対する時間割り当てを含む。１つのボードが過負荷であり別のボードが過負荷でない場合、ボード間の負荷を釣り合わせるように、いくつかの処理タスクが過負荷のボードから過負荷でないボードに転送されてもよい。少なくともいくつかの実施形態例によるＭＢＡにおいて、負荷釣り合わせは、中央局からＮｏｄｅＢに送られる制御パケットを介して、中央局のＬ２／Ｌ３ボードによって動的に制御されてもよい。
【０１３５】
図４は、図１に示されたＮｏｄｅＢ２０における干渉除去機能のための負荷釣り合わせの方法の実施形態例を示すブロック図である。例示の目的で、図４は、２つのキャリアで、キャリアごとに３つのセクタで、２つのＬ１処理ボードの間の、ユーザに関する負荷釣り合わせを含む３ＧＰＰ  ＬＴＥキャリア集合の例を示す。
【０１３６】
ＬＴＥ通信ネットワークにおいて、高速フーリエ変換（ＦＦＴ）は複数のユーザのフロント・エンド処理の部分である。一例において、１つのＦＦＴポイントは１５ｋＨｚの周波数帯域を表す。１０２４のＦＦＴは、複数のユーザによって共有される１０２４＊１５ｋＨｚまたは１５．３６０ＭＨｚの周波数帯域を表す。
【０１３７】
この例において、以下を前提とする。
ｉ．Ｌ１処理ボード２０２−１は干渉除去機能と関連づけられた機能を実行しないため、Ｌ１処理ボード２０２−１におけるＦＦＴは４５の非ＩＣユーザを含む。
ｉｉ．Ｌ１処理ボード２０２−２におけるＦＦＴは４０のユーザを含み、うち２ユーザは干渉除去（ＩＣ）ユーザであり、残りの３８ユーザは非ＩＣユーザである。
ｉｉｉ．Ｌ１処理ボード２０２−３におけるＦＦＴは５０のユーザを含み、うち１０ユーザは干渉除去（ＩＣ）ユーザであり、残りの４０ユーザは非ＩＣユーザである。
ｉｖ．ＩＣユーザは非ＩＣユーザよりも多くのリソースを消費する。
ｖ．Ｌ１処理ボード２０２−２および２０２−３のそれぞれは、６のＩＣユーザおよび５０の非ＩＣユーザを処理する能力を有する。
【０１３８】
この例は、６のＩＣユーザおよび５０の非ＩＣユーザを処理する能力を有する各Ｌ１処理ボード２０２−２および２０２−３に関して述べられるが、実施形態例はこの例に限定されるべきではない。それどころか、この特定の能力はこの例のためにのみ提供される。
【０１３９】
従来のＳＢＡを用いると、ＦＦＴを実行した後にすべてのユーザがローカルのＬ１処理ボードで処理される。この例において、ローカルなＬ１処理ボード２０２−３は１０のＩＣユーザを有し、Ｌ１処理ボードの最大能力（６のＩＣユーザ）を超過する。
【０１４０】
実施形態例によるＭＢＡを利用することにより、Ｌ１処理ボードはボードにおける通信機能の能力過負荷を識別し、能力過負荷の識別に応答して、あるＬ１処理ボードから別のＬ１処理ボードに、少なくとも１のユーザに通信機能を提供することと関連づけられた機能を転送することができる。
【０１４１】
より具体的な例では、実施形態例によるＭＢＡを利用することにより、ＩＣ負荷がＮｏｄｅＢ２０におけるＬ１処理ボード２０２−２および２０２−３の間で分配されて釣り合わせられるように、ＩＣユーザは、ユーザにこの通信機能を提供することと関連づけられた機能と同様に、あるＬ１処理ボードから別の処理ボードへ転送されてもよい。
【０１４２】
１のＩＣユーザに関して、ローカルなＬ１処理ボードは、ＦＦＴ処理に関して複数のユーザによって混合されるアンテナ・ストリームを受信する。ＦＦＴ出力は複数のデータの組に分割され、各データの組は複数のユーザのうちの対応する１つをマッピングする。ユーザ・データの組はさらに、タイミングおよび周波数オフセット補償処理回路によって処理される。オフセット補償の後に、ユーザ・データの組はＩＣ処理回路に送られる。したがって、オフセット補償の後に、ユーザ・データの組はＩＣ処理回路への入力であり、Ｌ１インターフェース・メッセージを介してリモートなＬ１処理ボードに転送される情報としてサービスを行う。
【０１４３】
図４に戻って参照すると、この例では、Ｌ１処理ボード２０２−２および２０２−３は干渉除去機能に関して１のシステム（ＭＢＡ）として機能し、Ｌ１処理ボード２０２−２は２のＩＣユーザのみを有するため、Ｌ１処理ボード２０２−３はさらなる処理のために４のＩＣユーザ（ＦＦＴ後）をＬ１処理ボード２０２−２に転送する。これはユーザに関するＭＢＡ負荷釣り合わせとみなされてもよい。
【０１４４】
図４に示された例において、負荷釣り合わせの後、Ｌ１処理ボード２０２−２は６のＩＣユーザを有し、Ｌ１処理ボード２０２−３は６のＩＣユーザを有する。したがって、Ｌ１処理ボード２０２−２および２０２−３のそれぞれは６のＩＣユーザという処理能力以下である。Ｌ１処理ボードは、Ｌ１インターフェース交換メッセージを用いて、ユーザと、この通信機能（例えば、干渉除去）を提供することに関連づけられた機能とを転送してもよい。
【０１４５】
図９は、ＮｏｄｅＢにおけるボードの間の通信機能の負荷釣り合わせの方法の一実施形態例を示すブロック図である。例示の目的で、単一キャリアＣ１で、３つのセクタＳ１、Ｓ２，Ｓ３を有し、２つのＬ１処理ボードの間の、ユーザに関する負荷釣り合わせを含むＬＴＥキャリア集合の例が説明される。
【０１４６】
図４に示された実施形態例と同様に、図９に示された例において、以下を前提とする。
ｖｉ．Ｌ１処理ボード２０２−１は干渉除去機能と関連づけられた機能を実行しないため、Ｌ１処理ボード２０２−１におけるＦＦＴは４５の非ＩＣユーザを含む。
ｖｉｉ．Ｌ１処理ボード２０２−２におけるＦＦＴは４０のユーザを含み、うち２ユーザは干渉除去（ＩＣ）ユーザであり、残りの３８ユーザは非ＩＣユーザである。
ｖｉｉｉ．Ｌ１処理ボード２０２−３におけるＦＦＴは５０のユーザを含み、うち１０ユーザは干渉除去（ＩＣ）ユーザであり、残りの４０ユーザは非ＩＣユーザである。
ｉｘ．ＩＣユーザは非ＩＣユーザよりも多くのリソースを消費する。
ｘ．Ｌ１処理ボード２０２−２および２０２−３のそれぞれは、６のＩＣユーザおよび５０の非ＩＣユーザを処理する能力を有する。
【０１４７】
図４と同様に、図９に示された例は、６のＩＣユーザおよび５０の非ＩＣユーザを処理する能力を有する各Ｌ１処理ボード２０２−２および２０２−３に関して述べられるが、実施形態例はこの例に限定されるべきではない。それどころか、この特定の能力はこの例のためにのみ提供される。
【０１４８】
実施形態例によるＭＢＡを利用することにより、ＩＣ負荷がＮｏｄｅＢ２０におけるＬ１処理ボード２０２−２および２０２−３の間で分配されて釣り合わせられるように、ＩＣユーザは、ユーザにこの通信機能を提供することと関連づけられた機能と同様に、あるＬ１処理ボードから別の処理ボードへ転送されてもよい。
【０１４９】
図９に示された例に関して、より詳細には、Ｌ１処理ボード２０２−２および２０２−３は干渉除去機能に関して１のシステム（ＭＢＡ）として機能し、Ｌ１処理ボード２０２−２は２のＩＣユーザのみを有するため、Ｌ１処理ボード２０２−３はさらなる処理のために４のＩＣユーザ（ＦＦＴ後）と、ユーザにこの通信機能を提供することと関連づけられた機能とをＬ１処理ボード２０２−２に転送する。これはユーザに関するＭＢＡ負荷釣り合わせとみなされてもよい。
【０１５０】
図９に示された例において、負荷釣り合わせの後に、Ｌ１処理ボード２０２−２は６のＩＣユーザを有し、Ｌ１処理ボード２０２−３は６のＩＣユーザを有する。したがって、Ｌ１処理ボード２０２−２および２０２−３のそれぞれは６のＩＣユーザという処理能力以下である。Ｌ１処理ボードは、Ｌ１インターフェース交換メッセージを用いて、ユーザを転送してもよい。
【０１５１】
先述の実施形態例の説明は、例示および説明の目的のみのために提供された。それは包括的なものや、開示を限定することを意図したものではない。特定の実施形態例の個々の要素または機能は、一般にその特定の実施形態に限定されるものではなく、適用可能であれば、置き換え可能であり、具体的に示されるか説明されなくとも、選択された実施形態で使用されることができる。同じものが多くの形に変化することもある。そのような変化は開示から離れたものとみなされるべきではなく、すべてのそのような変形例は開示の範囲内に含まれるものと意図される。
【図１】
0006522104.tif 000002
【図２】
0006522104.tif 000003
【図３】
0006522104.tif 000004
【図４】
0006522104.tif 000005
【図５】
0006522104.tif 000006
【図６】
0006522104.tif 000007
【図７】
0006522104.tif 000008
【図８】
0006522104.tif 000009
【図９】
0006522104.tif 000010